(57)【要約】【課題】特殊な操作具をもってしたりまた手を差し入れて操作するなどの荒手のサムターン回しにも対処できるようにした不正サムターン回しの防止具を提供すること。【解決手段】基部がドア内面のサムターン外周囲に対応する個所に対応して定着可能で全体が円筒や角筒などの貫通筒状に形成されてサムターン外周囲からドア内側に向けて突出するようにセット可能とされた防止具ボディと、移動により同ボディの筒内を不正行為防止可能な状態に遮断したり遮断状態の解除も可能にした安全シャッターとを備える。【選択図】  図４
2004360434.tif 000002
【特許請求の範囲】
【請求項１】
基部がドア内面のサムターン外周囲に対応する個所に対応して定着可能で全体が円筒や角筒などの貫通筒状に形成されてサムターン外周囲からドア内側に向けて突出するようにセット可能とされた防止具ボディと、移動により同ボディの筒内を不正行為防止可能な状態に遮断したり遮断状態の解除も可能にした安全シャッターとを備える不正サムターン回しの防止具。
【請求項２】
請求項１記載のものにおいて、安全シャッターは、室内側からのみロックとその解除操作が可能なロック手段を付属装備している不正サムターン回しの防止具。
【発明の詳細な説明】
【０００１】
【産業上の利用分野】
この発明は、不正サムターン回しの防止具に関する。
【０００２】
【従来の技術】
マンションや戸建て住宅などでは、玄関ドアにドア内部から開閉操作可能なようサムターンと称する開閉ロック機構を装備するものが一般的で、室内側からキーなしで施解錠操作することができる点で便利である。留守にする場合には、外部からのキー操作でこのサムターンも同時に施錠状態にすることができるのであるが、留守中に何者かがピッキングと称する不正キー操作をすることにより住居に侵入する事件が多発していた。しかし、最近では、玄関外部から玄関ドアのサムターン横側付近にドリル孔を明け、その孔を通じて専用操作具を差し込みその先端を屈曲させてサムターンを回すことで住居に侵入するといった荒手口の犯行が増えてきている。
【０００３】
【発明が解決しようとする課題】
こうした不正行為は所謂サムターン回しと呼ばれているが、このサムターン回しに対しては、サムターンを専用操作具で回せないように室内側のサムターン周りに防止具を取り付けておけば有効なわけであるが、そうした防止具の構造によっては、空き巣はその構造を察知して更なる特殊な手口を考え出すのが通例である。そのうち想定される手口は、ドアにドリル孔程度の小さい孔でなく大き目の穴を明けてそこから手を差し入れることでサムターンを回すといったものである。また、ドアに内蔵されている郵便受けを通じて手を差し込んだり覗き小窓を壊してそこから手を入れることなどしてサムターンを回し不正解錠するといった犯行もある。
【０００４】
この発明は前記課題を解決するためになされたもので、その目的とするところは、特殊な操作具をもってしたりまた手を差し入れて操作するなどの荒手のサムターン回しにもより完璧に対処できるようにした不正サムターン回しの防止具を提供することにある。
【０００５】
【課題を解決するための手段】
この発明は前記課題を解決するためになされたもので、請求項１記載の発明は、基部がドア内面のサムターン外周囲に対応する個所に対応して定着可能で全体が円筒や角筒などの貫通筒状に形成されてサムターン外周囲からドア内側に向けて突出するようにセット可能とされた防止具ボディと、移動により同ボディの筒内を不正行為防止可能な状態に遮断したり遮断状態の解除も可能にした安全シャッターとを備える。
請求項２記載の発明は、請求項１記載のものにおいて、安全シャッターは、室内側からのみロックとその解除操作が可能なロック手段を付属装備している。
【０００６】
【発明の実施の形態】
以下、図示した実施形態を参照してこの発明を詳細に説明する。
図１ないし図４は、その好適な一実施形態を示す。１はドアで、図示ではそれを内側からみており、このドア１はドア受枠２に対し開閉自在で図示のサムターン３により内部からドア１の施解錠操作ができるようになっている。尚、４はサムターン軸で、サムターン３とともに回転するものであり、５は基蓋である。
【０００７】
これらの図において、Ａは不正サムターン回しの防止具の全体を示し、同防止具Ａは、防止具ボディ１０と安全シャッター２０およびロック手段３０からなっている。
【０００８】
防止具ボディ１０は、図４に示すように、前記基蓋５よりも少し大き目の内径をもった貫通型円筒体で、その材質は樹脂であったり、金属であったりする。その他の材質にしてもよい。荒手口も想定されることから、できるだけ不燃質のもの（金属は勿論、樹脂やセラミックスなども含む）が好ましい。この防止具ボディ１０の一端基部は一体のフランジ１１を備え、このフランジ１１は、通孔１２を備えてドリルネジのような止着具１３…などによりドア１にねじ込み固定されるようにしたり、図示しない両面テープや接着剤などにより固着するようにしてもよい。また、フランジ１１を内径向きに突設して前記基蓋５とドア１間に作る隙間に同フランジ１１を挟み込むことで固着するようにしてもよい。この固着により、防止具ボディ１０は、ドア内側に向けて突出するようにセット可能とされる。
【０００９】
前記防止具ボディ１０の先端は開放状とされるとともに、同先端よりも少し手前の周部には、上半部のみを切り欠いてシャッタースリット１５が形成されている。このスリット１５を介して回転受軸１６回りに回転自在な安全シャッター２０が設けられている。回転受軸１６は、防止具ボディ１０の先端から一体に形成された挿通ボス１７を通じて差し込み固定され、また、安全シャッター２０は、下半部が防止具ボディ１０の内周に適合する直径で上半部が防止具ボディ１０の外径に匹敵する直径の薄板状のものであり、その回転基部（図３の左端）１８に前記回転受軸１６を挿通して支持する一方、回転する先端（図３の右端）には、シャッター側ロック受片２１が、また、それに対応する防止具ボディ１０外周にもボディ側ロック受片１９が設けられ、これら両ロック受片１９，２１の孔ａを通じてワンタッチ係脱式開閉リングであるロック手段３０が装着されている。
尚、安全シャッター２０は、防止具ボディ１０の内周径に対応する外径で全体を形成してもよい。また、同安全シャッター２０は、丸形でなく楕円形や四角などの多角形その他の幾何学形状でもよい。
さらに、同安全シャッター２０は、円板状でそのままでは強度不足も想定されるが、その場合、図４に仮想線で示すシャッター２０の下回りとなる周部に添う部分にフランジを突設して補強をし、安全性の向上を図ってもよい。
また、前記安全シャッター２０は、防止具ボディ１０に形成したシャッタースリット１５を介して開閉するようにしてあったので、例えば、手を差し込んでこの安全シャッター２０を外そうとしてもスリット１５内に同シャッター２０の周部が嵌まっているので外し難いが、同安全シャッター２０は防止具ボディ１０の前面に配してもよい。
【００１０】
前記安全シャッター２０は、図では格子目を付して他部材と区別し分かり易く表示してあるが、実際には、こうした格子目を付すとは限らない。
また、この安全シャッター２０は、樹脂や金属などいかなる材質をも選択できるものであるとともに、防止具ボディ１０の筒内に特殊工具や手などの侵入を阻止するものであれば、必ずしも丸板等の面板状にする必要はなく、例えば、格子目状のものにしたり、あるいは防止具ボディ１０の軸方向に直交して明けられた孔を通じて抜き差しできる挿脱バー型のようなものでもよい。この場合も安全シャッターのロック手段を付すのが安全上好ましい。
さらに、前記ロック手段３０については、簡易型錠前にしてもよい。
また、前記安全シャッター２０は、ドア面に平行に開閉操作されるようになっていたが、縦軸回りに開閉するようにしてもよい。
さらに、前記止着具１３は場合によってはその頭部を介して回して外されるおそれもあるため、該頭部を覆い隠す手段、例えば、ドライバー嵌め込み溝（＋や−）を接着剤でカバーしたり、別にカバー体で隠したりしてもよい。
【００１１】
図４に取付要領図を示すように、安全シャッター２０付きの防止具ボディ１０である防止具Ａは、その基部をサムターン３の外周囲に同心状にくるようにして止着具１３…により取り付けられる。留守をする場合、安全シャッター２０は図３のようにロック手段３０を外してシャッター側ロック受片２１を摘み上げることで仮想線のように開き、サムターン３を回して解錠状態とする。そののち、安全シャッター２０を図１から図４の実線のように防止具ボディ１０内を遮断した状態に戻し、好ましくはロック手段３０を両ロック受片１９，２１に掛けてロックしておき、その後、ドア１を閉めて施錠する。サムターン３は外部から施錠状態になっている。
【００１２】
この状態にしておけば、サムターン３の近くにドリル孔を明けて特殊操作具や手を差し込んだりしてサムターン３を回そうとしても、サムターン３は防止具Ａで全体が有効に防護されているので、どこからもサムターン３を不正操作される余地はなく、空き巣は諦めざるを得ないことになる。
【００１３】
住人が帰宅すると、サムターン３が解錠状態とされるので、室内に入ったあと、ロック手段３０を外して安全シャッター２０を開けてサムターン３を施錠状態としておくようにする。好ましくは、安全シャッター２０を戻しておいてロック手段３０を掛けておくようにする。
【００１４】
尚、ドア１の端部あるいはドア受枠２にサムターンが近くて前記のような防止具Ａをセットする余裕がない場合、図５のように、フランジ３２を真円形でなく一側欠如型のものにするとともに、回転受軸３５を下側に、またロック受片３３やロック手段３４についてもドア受枠２側でなくその他の、例えば、上側に配置することが好ましい。
【００１５】
【発明の効果】
この発明は、基部がドア内面のサムターン外周囲に対応する個所に対応して定着可能で全体が円筒や角筒などの貫通筒状に形成されてサムターン外周囲からドア内側に向けて突出するようにセット可能とされた防止具ボディと、移動により同ボディの筒内を不正行為防止可能な状態に遮断したり遮断状態の解除も可能にした安全シャッターとを備える不正サムターン回しの防止具であるので、特殊な操作具をもってしたりまた手を差し入れて操作するなどの荒手のサムターン回しにも対処できるようにした不正サムターン回しの防止具を提供することにある。
請求項２記載の発明は、請求項１記載のものにおいて、安全シャッターは、室内側からのみロックとその解除操作が可能なロック手段を付属装備しているので、サムターン回しにより完璧に対処することができる。
【図面の簡単な説明】
【図１】この発明の一実施形態である防止具をドアへの取付状態で示す上面矢視図。
【図２】図１のＦ方向からの矢視図。
【図３】図１のＩＩＩ−ＩＩＩ線断面図。
【図４】図１ないし図３の防止具およびその取付対象を示す斜視図。
【図５】他の実施形態である防止具の取付状態を室内側からみて示す正面図。
【符号の説明】
Ａ…防止具  １…ドア  ３…サムターン  １０…防止具ボディ  ２０…安全シャッター  ３０，３４…ロック手段。
【図１】
2004360434.tif 000003
【図２】
2004360434.tif 000004
【図３】
2004360434.tif 000005
【図４】
2004360434.tif 000006
【図５】
2004360434.tif 000007